【手続補正書】
【提出日】平成29年12月7日(2017.12.7)
【手続補正１】
【補正対象書類名】明細書
【補正対象項目名】発明の名称
【補正方法】変更
【補正の内容】
【発明の名称】印刷装置及びその制御方法  
【手続補正２】
【補正対象書類名】明細書
【補正対象項目名】０００１
【補正方法】変更
【補正の内容】
【０００１】
本発明は、印刷装置及びその制御方法に関し、特に、電源スイッチがオフ操作されたときに、高速起動が可能な状態に移行する印刷装置及びその制御方法にに関する。
【手続補正３】
【補正対象書類名】明細書
【補正対象項目名】００１３
【補正方法】変更
【補正の内容】
【００１３】
本発明の目的は、電源スイッチがオフ操作されたときに、より短い時間で高速起動が可能な状態に移行可能な印刷装置及びその制御方法を提供することにある。
【手続補正４】
【補正対象書類名】明細書
【補正対象項目名】００１４
【補正方法】変更
【補正の内容】
【００１４】
上記目的を達成するために、請求項１の印刷装置は、画像を印刷する印刷部と、制御部と、記憶部と、ユーザーによって操作される電源スイッチと、を有し、前記制御部および前記記憶部に電力が供給される第１の電力状態、および、前記第１の電力状態よりも低消費電力である第２の電力状態で動作可能な印刷装置であって、前記第１の電力状態の前記印刷装置における前記電源スイッチに対する前記ユーザーの第１の操作に応じて、前記印刷装置を前記第２の電力状態に遷移させる第１の処理手段と、前記電源スイッチに対する前記ユーザーの第２の操作に応じて、前記第１の電力状態の前記印刷装置をリブートさせる第２の処理手段と、を有することを特徴とする。
【手続補正５】
【補正対象書類名】明細書
【補正対象項目名】００１５
【補正方法】変更
【補正の内容】
【００１５】
本発明によれば、電源スイッチがオフ操作されたときに、より短い時間で高速起動が可能な状態に移行可能な印刷装置及びその制御方法を提供することができる。
【手続補正６】
【補正対象書類名】明細書
【補正対象項目名】００２９
【補正方法】変更
【補正の内容】
【００２９】
次に、ＭＦＰコントローラ部１２の電源系統について説明する。なお、本発明の実施形態では、消費電力が通常状態よりも低く、起動時間が高速な状態として、メモリ部２５にデータを保持するサスペンド方式を適用した場合を示すが、他の方式、例えば、ハイバネーション方式等を用いてもよい。このように、ＭＦＰ１００は、電源スイッチ部１４のオフ操作が検知されると、オフ操作が検知されたときの第１状態を保存する。そして、ＭＦＰ１００は、次に電源スイッチ部１４のオン操作が検知されたときに第１状態に復帰可能な第２状態にＭＦＰ１００の状態を移行する。従って、本実施の形態において、第１状態は通常状態、第２状態はサスペンド状態となっている。また、サスペンド状態におけるＭＦＰ１００の消費電力量は、通常状態におけるＭＦＰ１００の消費電力量より小さいことは上述した通りである。
【手続補正７】
【補正対象書類名】明細書
【補正対象項目名】００３０
【補正方法】変更
【補正の内容】
【００３０】
電源系Ａ２２は電源制御部２３及びリセット部２４、メモリ部２５、ＣＰＵ部２７の一部に電源を供給する。電源系Ａ２２は、ＭＦＰ１００全体の電源状態を管理及び省電力モードからの復帰を実現するため、どの省電力モードにおいても電源が遮断されることはない。
【手続補正８】
【補正対象書類名】明細書
【補正対象項目名】００３１
【補正方法】変更
【補正の内容】
【００３１】
電源系Ｂ２１はＣＰＵ部２７及び画像処理部２８、ＨＤＤ部２６などに電源を供給する。なお電源系Ｂ２１の電源遮断／供給の制御は、電源制御部２３から出力される制御信号を介してＦＥＴ２０を制御することで実現する。
【手続補正９】
【補正対象書類名】明細書
【補正対象項目名】００４４
【補正方法】変更
【補正の内容】
【００４４】
サスペンド状態に移行後、ＣＰＵ部２７がサスペンド処理終了信号３６を電源制御部２３に通知する。電源制御部２３がサスペンド処理終了信号３６を通知されると、電源系Ｂ２１への電源供給を遮断しサスペンド状態に移行するとともに、タイマ部３１が時間計測を開始する（ステップＳ４０２）。
【手続補正１０】
【補正対象書類名】明細書
【補正対象項目名】００４７
【補正方法】変更
【補正の内容】
【００４７】
一方、ステップＳ４０５の判別の結果、時間計測値ｔ＞時間Ｔのとき（ステップＳ４０５でＮＯ）、電源制御部２３がレジューム信号３７をＣＰＵ部２７に通知し、ＣＰＵ部２７がレジューム処理を実行して（ステップＳ４０７）、本処理を終了する。レジューム処理終了後は、通常状態に復帰する。上記ステップＳ４０５〜４０７は、制御部に対応している。
【手続補正１１】
【補正対象書類名】明細書
【補正対象項目名】００６５
【補正方法】変更
【補正の内容】
【００６５】
図６において、ユーザが電源スイッチ部１４をオフ操作したことを電源制御部２３が検知すると、割り込み信号３４をＣＰＵ４２に通知する。ＣＰＵ４２は、割り込み信号３４が通知されると、現在時刻ｔ１をＲＴＣ３９から取得し（ステップＳ６０１）、この現在時刻ｔ１は一時変数としてメモリ部２５に記憶される。
【手続補正１２】
【補正対象書類名】明細書
【補正対象項目名】００６８
【補正方法】変更
【補正の内容】
【００６８】
次いで、ＣＰＵ４２はサスペンド状態から復帰直後にＲＴＣ３９から現在時刻ｔ２を取得する（ステップＳ６０６）。
【手続補正１３】
【補正対象書類名】明細書
【補正対象項目名】００６９
【補正方法】変更
【補正の内容】
【００６９】
そして、サスペンド処理実行前に取得しておいた現在時刻ｔ１と現在時刻ｔ２の差である、時間計測値（ｔ２−ｔ１）を算出する。この（ｔ２−ｔ１）は、第１タイマ値（ｔ１）から第２タイマ値（ｔ２）までに経過した時間でもある。
【手続補正１４】
【補正対象書類名】明細書
【補正対象項目名】００７２
【補正方法】変更
【補正の内容】
【００７２】
一方、（ｔ２−ｔ１）≦Ｔのときは（ステップＳ６０７でＹＥＳ）、ＣＰＵ４２がＭＦＰ１００のシャットダウン処理を行い、リセット部２４にリセット信号４１を通知することで再起動処理を実行し（ステップＳ６０８）、本処理を終了する。
【手続補正１５】
【補正対象書類名】明細書
【補正対象項目名】００８２
【補正方法】変更
【補正の内容】
【００８２】
このようなサスペンド方式にＨＤＤ部２６への転送処理を加えることにより、ＨＤＤ転送時間分だけ遅いサスペンド方式と同等な動作を行うことができる。すなわち現在時刻ｔ１はＨＤＤ部２６に記憶されるため、第２の実施の形態をハイバネーションにそのまま適用することが可能となっている。
【手続補正１６】
【補正対象書類名】特許請求の範囲
【補正対象項目名】全文
【補正方法】変更
【補正の内容】
【特許請求の範囲】
【請求項１】
画像を印刷する印刷部と、制御部と、記憶部と、ユーザーによって操作される電源スイッチと、を有し、前記制御部および前記記憶部に電力が供給される第１の電力状態、および、前記第１の電力状態よりも低消費電力である第２の電力状態で動作可能な印刷装置であって、
前記第１の電力状態の前記印刷装置における前記電源スイッチに対する前記ユーザーの第１の操作に応じて、前記印刷装置を前記第２の電力状態に遷移させる第１の処理手段と、
前記電源スイッチに対する前記ユーザーの第２の操作に応じて、前記第１の電力状態の前記印刷装置をリブートさせる第２の処理手段と、
を有することを特徴とする印刷装置。
【請求項２】
前記第２の処理手段による前記リブートは、前記第１の電力状態の前記印刷装置のシャットダウンを伴うことを特徴とする請求項１に記載の印刷装置。
【請求項３】
前記第２の処理手段による前記リブートは、前記第１の電力状態の前記印刷装置をシャットダウンしてから前記第１の電力状態へ再び遷移させることを特徴とする請求項１に記載の印刷装置。
【請求項４】
前記第２処理手段による前記リブートは、前記記憶部をリセットすることを特徴とする請求項１または２に記載の印刷装置。
【請求項５】
前記第２の処理手段は、前記電源スイッチに対する前記ユーザーの第２の操作に応じて、前記印刷装置を前記第２の電力状態から前記第１の電力状態に遷移させ、前記第１の電力状態の前記印刷装置をリブートさせることを特徴とする請求項１乃至４の何れか１項に記載の印刷装置。
【請求項６】
前記第１の処理手段は、前記第１の電力状態の前記印刷装置における前記電源スイッチに対する前記ユーザーの前記第１の操作に応じて、前記印刷装置を前記第２の電力状態から起動するために用いられる状態情報を前記記憶部に記憶させてから、前記印刷装置を前記第２の電力状態に遷移させることを特徴とする請求項１乃至４の何れか１項に記載の印刷装置。
【請求項７】
前記第１の処理手段による前記印刷装置の前記第２の電力状態への遷移は、前記第１の電力状態の前記印刷装置のシャットダウンを伴わないことを特徴とする請求項６に記載の印刷装置。
【請求項８】
前記第２の処理手段は、前記電源スイッチに対する前記ユーザーの第２の操作に応じて、前記記憶部に記憶された前記状態情報を用いて前記第２の電力状態から起動されて前記第１の電力状態に遷移された前記印刷装置をリブートさせることを特徴とする請求項７に記載の印刷装置。
【請求項９】
前記印刷装置が前記第２の電力状態である時の、前記第１の操作後の前記電源スイッチに対する前記ユーザーの第３の操作に応じて、前記記憶部に記憶されている前記状態情報を用いて前記印刷装置を前記第２の電力状態から起動して前記第１の電力状態に遷移させる第３の処理手段を有し、
前記第２の処理手段は、前記第３の処理手段によって前記第１の電力状態に遷移された前記印刷装置をリブートさせることを特徴とする請求項８に記載の印刷装置。
【請求項１０】
前記第１の操作は、前記電源スイッチに対する前記ユーザーのオフ操作であり、
前記第３の操作は、前記電源スイッチに対する前記ユーザーのオン操作であり、
前記第２の操作は、前記電源スイッチに対する前記ユーザーのオフ操作および当該オフ操作後のオン操作であり、
前記第２の操作における前記オフ操作から前記オン操作までの時間は少なくとも、前記第１の操作である前記電源スイッチに対する前記オフ操作から前記第３の操作である前記電源スイッチに対する前記オン操作までの時間よりも短いことを特徴とする請求項９に記載の印刷装置。
【請求項１１】
前記制御部は、プロセッサを含み、前記記憶部は、揮発性メモリを含むことを特徴とする請求項１乃至１０の何れか１項に記載の印刷装置。
【請求項１２】
前記印刷装置の電力状態を制御する電力制御部を有し、
前記制御部は、前記電力制御部を用いて、前記印刷装置を前記第２の電力状態に遷移させることを特徴とする請求項１乃至１０の何れか１項に記載の印刷装置。
【請求項１３】
画像を印刷する印刷部と、制御部と、記憶部と、ユーザーによって操作される電源スイッチと、を有し、前記制御部および前記記憶部に電力が供給される第１の電力状態、および、前記第１の電力状態よりも低消費電力である第２の電力状態で動作可能な印刷装置の制御方法であって、
前記第１の電力状態の前記印刷装置における前記電源スイッチに対する前記ユーザーの第１の操作に応じて、前記印刷装置を前記第２の電力状態に遷移させる第１の処理工程と、
前記電源スイッチに対する前記ユーザーの第２の操作に応じて、前記第１の電力状態の前記印刷装置をリブートさせる第２の処理工程と、
を有することを特徴とする印刷装置の制御方法。
【手続補正１７】
【補正対象書類名】図面
【補正対象項目名】図５
【補正方法】変更
【補正の内容】
【図５】
2017196907.tif 000001